(57)【要約】【課題】エアコン本体への化粧パネルの固定が容易な天井埋込型エアコンを提供する。【解決手段】フック２を設けたエアコン本体１と、穴部４を有する化粧パネル３ａと、記フック２に懸下して仮止めされた化粧パネル３ａをエアコン本体１に固定する止め具３を備え、止め具３を、穴部４に貫通して仮止めされるネジ５と、ネジ穴６ａを有しエアコン本体１に設けられた吊金具６よりなり、ネジ５は、ネジ穴６ａに螺着されるネジ山を設けた部位Ａ７と、部位Ａ７より径小でネジ山を設けていない部位Ｂ８を有し、ネジ５を穴部４に仮止めした時の、部位Ｂ８の前記化粧パネル３ａより下方に突出した部分の長さ（Ｌ１）を、部位Ａ７の上端と吊金具６との距離（Ｌ２）より長く設定したもので、穴部４にネジの部位Ａ７が引掛りネジ５の落下を防ぎ、部位Ｂ８の長さがネジ５の締めつけ時のストロークとなり、エアコン本体１に化粧パネル３ａを片手で簡単に取付けることができる。【選択図】図１
2006132893.tif 000002
【特許請求の範囲】
【請求項１】
フックを設けたエアコン本体と、穴部を有する化粧パネルと、前記フックに懸下して仮止めされた前記化粧パネルを前記エアコン本体に固定する止め具を備え、前記止め具を、前記穴部に貫通して仮止めされるネジと、ネジ穴を有し前記エアコン本体に設けられた吊金具よりなり、前記ネジは、前記ネジ穴に螺着されるネジ山を設けた部位Ａと、前記部位Ａより径小でネジ山を設けていない部位Ｂを有し、前記ネジを前記穴部に仮止めした時の、前記部位Ｂの前記化粧パネルより下方に突出した部分の長さを、前記部位Ａの上端と前記吊金具との距離より長く設定したことを特徴とする天井埋込型エアコン。
【請求項２】
化粧パネルの端部近傍に、開口した略Ｕ字状の穴部を設け、前記穴部の開口部側にネジが外れるのを防止するピースを取り付けることを特徴とする請求項１に記載の天井埋込型エアコン。
【請求項３】
化粧パネルの端部近傍に、開口した略Ｕ字状の穴部を設け、前記穴部の開口部側にネジが外れるのを防止するリブを形成したことを特徴とする請求項１に記載の天井埋込型エアコン。
【請求項４】
ネジの部位Ｂにワッシャを取り付けることを特徴とする請求項１〜３のいずれか１項に記載の天井埋込型エアコン。
【発明の詳細な説明】
【技術分野】
【０００１】
本発明は、天井埋込型エアコンに関するもので、特に化粧パネルの取り付けに関するものである。
【背景技術】
【０００２】
従来のこの種の天井埋込型エアコンの化粧パネルの止め具の構造について図５を用いて説明する。
【０００３】
図５は、従来の天井埋込型エアコンの要部断面図で、２２は、エアコン本体２１を吊下げる吊金具で、２３は、止め具２４を有する化粧パネル２３で、止め具２４を吊金具２２にネジ２５でネジ止めして、エアコン本体２１に化粧パネル２３を固定するようにしている（例えば、特許文献１参照）。
【特許文献１】特開平１０−２０５８７９号公報
【発明の開示】
【発明が解決しようとする課題】
【０００４】
しかしながら、前記従来の天井埋込型エアコンの構成では、前記エアコン本体２１に化粧パネル２３を固定する時、上向きにネジ２５を止めるため、取り付け作業時にネジ２５が落下したり、ネジ２５が落下するのを防止するため両手で作業しなければならないという課題を有していた。
【０００５】
本発明は、前記従来の課題を解決するもので、エアコン本体に化粧パネルを固定する時、ネジの落下を防止し、片手で簡単に化粧パネルが取付けられる天井埋込型エアコンを提供することを目的とする。
【課題を解決するための手段】
【０００６】
前記従来の課題を解決するために、本発明の天井埋込型エアコンは、フックを設けたエアコン本体と、穴部を有する化粧パネルと、前記フックに懸下して仮止めされた前記化粧パネルを前記エアコン本体に固定する止め具を備え、前記止め具を、前記穴部に貫通して仮止めされるネジと、ネジ穴を有し前記エアコン本体に設けられた吊金具よりなり、前記ネジは、前記ネジ穴に螺着されるネジ山を設けた部位Ａと、前記部位Ａより径小でネジ山を設けていない部位Ｂを有し、前記ネジを前記穴部に仮止めした時の、前記部位Ｂの前記化粧パネルより下方に突出した部分の長さを、前記部位Ａの上端と前記吊金具との距離より長く設定したもので、穴部にネジの部位Ａが引掛り、部位Ｂの長さがネジの締めつけ時のストロークとなり、エアコン本体に化粧パネルを固定する時、ネジが落下することが無く、片手で簡単に化粧パネルを取付けることができる。
【発明の効果】
【０００７】
本発明の天井埋込型エアコンは、エアコン本体に化粧パネルを固定する時、ネジが落下することがなく、片手で簡単に化粧パネルを取付けることができる。
【発明を実施するための最良の形態】
【０００８】
第１の発明は、フックを設けたエアコン本体と、穴部を有する化粧パネルと、前記フックに懸下して仮止めされた前記化粧パネルを前記エアコン本体に固定する止め具を備え、前記止め具を、前記穴部に貫通して仮止めされるネジと、ネジ穴を有し前記エアコン本体に設けられた吊金具よりなり、前記ネジは、前記ネジ穴に螺着されるネジ山を設けた部位Ａと、前記部位Ａより径小でネジ山を設けていない部位Ｂを有し、前記ネジを前記穴部に仮止めした時の、前記部位Ｂの前記化粧パネルより下方に突出した部分の長さを、前記部位Ａの上端と前記吊金具との距離より長く設定したもので、穴部にネジの部位Ａが引掛り、部位Ｂの長さがネジの締めつけ時のストロークとなり、エアコン本体に化粧パネルを固定する時、ネジが落下することが無く、片手で簡単に化粧パネルを取付けることができる。
【０００９】
第２の発明は、特に、第１の発明の化粧パネルの端部近傍に、開口した略Ｕ字状の穴部を設け、前記穴部の開口部側にネジが外れるのを防止するピースを取り付けたもので、ネジを化粧パネルの穴部に取りつける時、穴部の開口部側より差し込むだけででき、しかもそのネジがピースにより外れる事がなく、化粧パネルの取りつけ作業が容易である。
【００１０】
第３の発明は、特に、第１の発明の化粧パネルの端部近傍に、開口した略Ｕ字状の穴部を設け、前記穴部の開口部側にネジが外れるのを防止するリブを形成したもので、穴部の開口部側よりネジをリブを乗り越えて差込むだけで穴部に取りつけられ、しかもリブによりネジが容易に外れることがなく、化粧パネルのエアコン本体への取り付け作業が容易になる。
【００１１】
第４の発明は、特に、第１〜３のいずれか一つの発明のネジの部位Ｂにワッシャを取り付けるもので、穴部にネジを通した時にワッシャで確実にネジを穴部に引掛けることができ、エアコン本体への化粧パネルの取りつけ作業を確実に行なうことができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における天井埋込型エアコンの要部断面図である。
【００１４】
図１において、天井埋込型エアコンのエアコン本体１にはフック２が設けられ、３ａは、化粧パネルで、フック２に引っ掛けて懸下するための引っ掛け部３ｂを備えている。３は、フック２に引っ掛け部３ｂを介して懸下して仮止めされた化粧パネル３ａを、エアコン本体１に止める止め具であって、止め具３は、化粧パネル３ａの端部近傍に設けられた穴部４を貫通して取り付けられるネジ５と、エアコン本体１に設けられた吊金具６より成り、前記ネジ５は、吊金具６に設けたネジ穴６ａに螺着するネジ山を設けた部位Ａ７とそれより径小でネジ山を設けていない部位Ｂ８を有し、ネジ５の部位Ｂ８を穴部４に通し、部位Ａ７が穴部４に引っ掛かってネジ５が穴部４に仮止めされた時に、化粧パネル３ａより下方に突出した部位Ｂ８の長さＬ１は、部位Ａ７の上端と吊金具６との距離Ｌ２より大きくなる（Ｌ１＞Ｌ２）ように設定している。
【００１５】
ネジ５の穴部４への仮止めは、化粧パネル３ａの成型時にネジ５と同時に成型すると共にネジ５の部位Ａ７の外径より小さく、部位Ｂ８の径より大なる穴部４を部位Ｂ８の周囲に形成して行なわれる。或いは、穴部４に部位Ａ７のネジ山がネジ嵌合するネジを形成して、それにネジ５を捻じ込んで仮止めしても良い。
【００１６】
以上のように構成された天井埋込型エアコンのエアコン本体１への化粧パネル３ａの取り付け方法について、説明する。
【００１７】
まず、端部近傍に設けた穴部４にネジ５を仮止めした化粧パネル３ａの引っ掛け部３ｂをエアコン本体１に設けたフック２に引っ掛けて吊るすように化粧パネル３ａを仮固定する。次にネジ５の部位Ａ７を吊金具６のネジ穴６ａに締め付けて固定を完了する。
【００１８】
以上のように、本実施の形態によれば、化粧パネル３ａの端部近傍に設けられた穴部４にネジ５の部位Ａ７が引掛り、部位Ｂ８の長さＬ１がネジ止め時のストロークとなり、エアコン本体１に化粧パネル３ａを固定する時、ネジ５が落下することなく、片手で簡単に化粧パネル３ａを取付けることができる。
【００１９】
（実施の形態２）
図２は、本発明の第２の実施の形態における天井埋込型エアコンの要部斜視図である。
【００２０】
本実施の形態は、図２に示すように、ネジ５を仮止めするための化粧パネル３ａの端部近傍に設ける穴部１１を、化粧パネル３ａの端面側に開口し且つ略Ｕ字状に形成し、その穴部１１に開口側からネジ５の部位Ｂ８を差し込み、その穴部１１の開口側にネジ５の外れ防止用ピース１２を取付けるもので、他の構成は、上記第１の実施の形態と同一であるので、同一部分については同一符号を付してその説明を省略する。
【００２１】
上記構成により、ピース１２によりネジ５の外れ防止となり、ネジ５を簡単に化粧パネルに固定することができエアコン本体１に化粧パネル３ａを固定する時、ネジ５の落下を防止し、片手で簡単に化粧パネル３ａを取付けることができる。
【００２２】
（実施の形態３）
図３は、本発明の第３の実施の形態における天井埋込型エアコンの要部斜視図である。
【００２３】
本実施の形態は、図３に示すように、ネジ５を仮止めするための化粧パネル３ａの端部近傍に設ける穴部１１を、化粧パネル３ａの端面側が開口し且つ略Ｕ字状に形成し、その穴部１１の開口側にネジ５の外れ防止用のリブ１３を形成し、穴部１１の開口側よりネジ５をリブ１３を乗り越えて差込むことによりネジ５が外れることなく固定できるようにしたもので、他の構成は、上記実施の形態と同一であるので、同一部分については同一符号を付してその説明を省略する。
【００２４】
上記構成により、Ｕ字状の穴部１１の開口側よりネジ５をリブ１３を乗り越えを差込むだけでネジ５が外れることなく固定できることになりネジ５を簡単に化粧パネルに固定することができエアコン本体１に化粧パネル３ａを固定する時、ネジ５の落下を防止し、片手で簡単に化粧パネル３ａを取付けることができる。
【００２５】
（実施の形態４）
図４は、本発明の第４の実施の形態における天井埋込型エアコンの要部断面図である。
【００２６】
本実施の形態は、図４に示すように、ネジ５の部位Ｂ８にワッシャ１４を取り付けたもので、化粧パネル３ａの端部近傍に設けた穴部４にネジ５を通すことによりワッシャ１４を確実に引掛けることができ、ネジ５の落下を防止し、片手で簡単に化粧パネルを取付けることができる。
【産業上の利用可能性】
【００２７】
以上のように、本発明にかかる天井埋込型エアコンは、エアコン本体に化粧パネルを固定する時、ネジが落下することなく、片手で簡単に化粧パネルを取付けられるので、家庭用、業務用のエアコンに加え、空気清浄機、換気装置等の各種機器に適用できる。
【図面の簡単な説明】
【００２８】
【図１】本発明の実施の形態１における天井埋込型エアコンの要部断面図
【図２】本発明の実施の形態２における天井埋込型エアコンの要部斜視図
【図３】本発明の実施の形態３における天井埋込型エアコンの要部斜視図
【図４】本発明の実施の形態４における天井埋込型エアコンの要部断面図
【図５】従来の天井埋込型エアコンの要部断面図
【符号の説明】
【００２９】
１  エアコン本体
２  フック
３  止め具
３ａ  化粧パネル
４、１１  穴部
５  ネジ
６  吊金具
６ａ  ネジ穴
７  部位Ａ
８  部位Ｂ
１２  ピース
１３  リブ
１４  ワッシャ
【図１】
2006132893.tif 000003
【図２】
2006132893.tif 000004
【図３】
2006132893.tif 000005
【図４】
2006132893.tif 000006
【図５】
2006132893.tif 000007